(57)【要約】【課題】  複数の断熱パネルを連結バーを介して鉛直方向に順次に立て込んで形成される建築用断熱型枠において、上下に接合される断熱パネルの接合面間に打設コンクリートが入り込むのを低減して、断熱型枠の断熱性を高める。【解決手段】  内、外の断熱型枠Ｍｉ，Ｍｏの連結バーＪ同士をアッセンブリタイ２０により連結してなる建築用型枠において、アッセンブリタイ２０の、上下段の断熱パネル１，１の接合面１ｕ，１ｄ間に挟まれる部分には凹部２２を形成し、その凹部２２に断熱パネル１の突条部４が入り込んで密に着座される。【選択図】    図６
2008150884.tif 000002
【特許請求の範囲】
【請求項１】
コンクリートの打設空間（Ｓ）を存して互いに平行に立て込まれる内、外の断熱型枠（Ｍｉ，Ｍｏ）を、上下方向に複数段に積み込まれる複数の断熱パネル（１）と、各上下段の断熱パネル（１，１）の接合面（１ｕ，１ｄ）間に差し込まれて、上下段の断熱パネル（１，１）をそれぞれ結合する複数の連結バー（Ｊ）とより構成し、内、外の断熱型枠（Ｍｉ，Ｍｏ）の相対応する連結バー（Ｊ）同士を複数のアッセンブリタイ（２０）により一体に連結してなる建築用型枠において、
前記アッセンブリタイ（２０）は、中間部分（２０ｎ）と、その中間部分（２０ｎ）の両端より略直角に折り曲げられる両折曲端部（２０ｅ，２０ｅ）とを有し、前記両折曲端部（２０ｅ，２０ｅ）は前記連結バー（Ｊ）に穿設した差込孔（１４）に差し込まれ、また、前記直状部分（２０ｎ）の、上下段の断熱パネル（１，１）の接合面（１ｕ，１ｄ）間に挟まれる部分には凹部（２２）が形成され、その凹部（２２）に断熱パネル（１）の接合面（１ｄ）に形成した突条部（４）が密に着座されることを特徴とする、建築用型枠。
【請求項２】
上下段の断熱パネル（１，１）の互いに接合される接合面（１ｕ，１ｄ）のうち、直接接合する部分（ｚ）は相互に密接されることを特徴とする、前記請求項１記載の建築用型枠。
【請求項３】
建築用型枠に直接使用されるアッセンブリタイ（２０）であって、金属線材によりかすがい状に形成されており、直状の中間部分（２０ｎ）と、その中間部分（２０ｎ）の両端から折り曲げれる左右端部分（２０ｅ，２０ｅ）よりなり、前記中間部分（２０ｎ）の、左右端部（２０ｅ，２０ｅ）寄りの部分には、その中間部分（２０ｎ）の上下厚さよりも薄い平坦部（２１）を有する凹部（２２）が形成されていることを特徴とする、建築用型枠のアッセンブリタイ。
【発明の詳細な説明】
【技術分野】
【０００１】
本発明は、コンクリート躯体を成形すべく、コンクリートの打設空間を存して立て込まれる内、外断熱型枠よりなる建築用型枠およびそれに直接使用されるアッセンブリタイに関する。
【背景技術】
【０００２】
従来、建築物において、そのコンクリート躯体を成形するための建築用型枠を、コンクリート打設空間をあけて互いに平行に立て込まれる、内、外の断熱型枠と、それらの断熱型枠を一体に橋架結合する複数のかすがい状のアッセンブリタイとより構成したもの公知である（特許文献１参照）。
【特許文献１】特開２００４−７６３９６号公報
【発明の開示】
【発明が解決しようとする課題】
【０００３】
ところで、前記特許文献１に開示される建築用型枠は、複数段に鉛直方向に積み重ねられる断熱パネルの接合面間にそれぞれバー部材を差込んで、各上下段の断熱パネルを連結して内、外の断熱型枠を建て込み、それら内、外の断熱型枠の相対応するバー部材同士を、アッセンブリタイにより橋架結合して構成されている。そのため、互いに接合される上下段の断熱パネルの接合面間の内面側（コンクリート打設側）には、バー部材の厚さと、アッセンブリタイの太さの和に相当する隙間が形成される（前記特許文献１の図６参照）のを余儀なくされ、コンクリートを打設した際に、打設コンクリートの一部が前記隙間に入り込んで、内、外の断熱型枠に断熱欠損を生じてその断熱性が損なわれるばかりでなく上下段の断熱パネルの接合面の取り合いが悪くコンクリート打設時の圧力で断熱パネルに倒れ現象を生じるという問題があった。
【０００４】
本発明は、かかる実情に鑑みてなされたものであり、前記問題を解決できるようにした、新規な建築用型枠およびその型枠に直接使用するアッセンブリタイを提供することを目的とする。
【課題を解決するための手段】
【０００５】
上記目的を達成するために、請求項１記載の発明は、コンクリートの打設空間を存して互いに平行に立て込まれる内、外の断熱型枠を、上下方向に複数段に積み込まれる複数の断熱パネルと、各上下段の断熱パネルの接合面間に差し込まれて、上下段の断熱パネルをそれぞれ結合する複数の連結バーとより構成し、内、外の断熱型枠の相対応する連結バー同士を複数のアッセンブリタイにより一体に連結してなる建築用型枠において、
前記アッセンブリタイは、中間部分と、その中間部分の両端より略直角に折り曲げられる両折曲端部とを有し、前記両折曲端部は前記連結バーに穿設した差込孔に差し込まれ、また、前記直状部分の、上下段の断熱パネルの接合面間に挟まれる部分には凹部が形成され、その凹部に断熱パネルの接合面に形成した突条部が密に着座されることを特徴としている。
【０００６】
また、上記目的を達成するために、請求項２記載の発明は、前記請求項１記載のものにおいて、上下段の断熱パネルの互いに接合される接合面のうち、直接接合する部分は相互に密接されることを特徴としている。
【０００７】
さらに、上記目的を達成するために、請求項３記載の発明は、建築用型枠に直接使用されるアッセンブリタイであって、金属線材によりかすがい状に形成されており、直状の中間部分と、その中間部分の両端から折り曲げれる左右端部分よりなり、前記中間部分の、左右端部寄りの部分には、その中間部分の上下厚さよりも薄い平坦部を有する凹部が形成されていることを特徴としている。
【発明の効果】
【０００８】
本請求各項記載の発明によれば、断熱パネルの互いに接合される断熱パネルの接合面間に形成される隙間を極力小さくすることができるので、それらの接合面間に打設コンクリートが入り込むのを可及的に低減することができ、断熱型枠の断熱欠損を大幅に減少させてその断熱性を高めることができる。また上下段の断熱パネルの接合面の取り合いがよくなるため、断熱パネルの倒れを防止して建築用型枠の施工精度を大幅に向上させることができる。
【０００９】
また、特に請求項２記載の発明によれば、上下段の断熱パネルの接合面の取り合いが一層よくなり、断熱パネルの倒れをより確実に防止することができる。
【００１０】
さらに、特に請求項３記載の発明によれば、建築用型枠に使用されるアッセンブリタイは、従来のものに僅かな改良を加えることで構成されるので、廉価に提供することができる。
【発明を実施するための最良の形態】
【００１１】
以下、本発明の実施の形態を、添付図面に例示した本発明の実施例に基づいて以下に具体的に説明する。
【００１２】
図１は、断熱パネルおよびアッセンブリタイの斜視図、図２は、図１の２−２線に沿う断面図、図３は、図２の３矢視仮想線囲い部分の拡大図、図４は図３の４−４線に沿う断面図、図５は、図１の５矢視仮想線囲い部分の拡大図、図６は、組み立てられた建築用型枠の断面図である。
【００１３】
図１〜４において、型枠パネルとしての断熱パネル１は、硬質の断熱合成樹脂材により、全体が横長の長方形の板状に形成されており、その上端面１ｕには、後述の連結バーＪが、該断熱パネルの全長にわたり固定される。
【００１４】
前記断熱パネル１は、高断熱性であり、しかも軽量であるポリスチレン、ポリウレタンなどの硬質の発泡合成樹脂材により横長の長方形に構成されている。断熱パネル１の外面１ｏおよび内面１ｉは、いずれも平坦面に形成されている。また、断熱パネル１の接合面となる、上端面１ｕおよび下端面１ｄには、その全長にわたりその厚み方向の中間部にスリット２が形成される。さらに、断熱パネル１に下端面の内面側１ｉ寄りには、前記スリット２と平行に凹溝３が形成されるとともの内面１ｉ側の下端に突条部４が形成されている。
【００１５】
図１〜４において、前記連結バーＪは、金属板または硬質合成樹脂板により形成され、断熱パネル１の横方向の長さと略同じ長さを有しており、平坦な板状に形成される水平部１０と、この水平部１０の一端（図２，３左端）より上下方向に略直角に対称的に起立形成される上、下差込部１１Ｕ，１１Ｄとを備えて横断面横Ｔ状に形成され、その幅は、断熱パネル１の厚さよりも短く形成されている。上、下差込部１１Ｕ，１１Ｄの肉厚ｔ1 は、水平部１０の肉厚ｔ2 よりも若干厚く形成されている。また、水平部１０には、その長手方向に間隔をあけて複数の差込孔１４…がそれぞれ穿設され、それらの差込孔１４…に後述するアッセンブリタイ２０の折曲部２０ｅがそれぞれ差込み連結される。
【００１６】
図２，３に明瞭に示すように、断熱パネル１の水平部１０は、断熱パネル１の厚み幅よりも幅狭に形成されて、断熱パネル１が立て込まれるとき、それらの上端面１ｕと下端面１ｄとの間に挟持される。また、前記上、下差込部１１Ｕ，１１Ｄは、それらの先端に鋸歯状の抜止め歯１１ｔが一体に形成され、断熱パネル１のスリット２に差し込み結合される際に、抜止め歯１１ｔはスリット２に食い込んでその抜け出しが防止される。
【００１７】
前記連結バーＪは、予め工場などで断熱パネル１の接合面、すなわち上端面１ｕに固定しておく。この固定状態では、図３に示すように、連結バーＪの一方の下差込部１１Ｄは、断熱パネル１のスリット２内に差し込み固定され、その水平部１０は、断熱パネル１の上端面１ｕに当接される。この場合、断熱パネル１と連結バーＪは、接着剤により接着する。
【００１８】
以上のように、接合面となる上端面に連結バーＪを固定した断熱パネル１は、建築現場などに搬送されて、建築用型枠Ｍの組み付けに供される。
【００１９】
図６に示すように、コンクリートの打設空間Ｓを存して互いに平行に立て込まれる断熱パネル１，１は、複数のアッセンブリタイ２０によりを一体に連結される。
【００２０】
図５に最も明瞭に示すように、アッセンブリタイ２０は、鉄線などの断面円形の金属線材により、全体が「かすがい」状に形成されており、直状の中間部分２０ｎと、その中間部分２０ｎの両端から略直角に折曲される、両折曲端部２０ｅ，２０ｅとを有しており、それらの折曲端部２０ｅ，２０ｅの先端は、斜めにカットされて先鋭に形成されていて、前記連結バーＪの差込孔１４に差し込み易くしてある。また、アッセンブリタイ２０の中間部分２０ｎの、折曲端部２０ｅに近い部分、すなわち上下段の断熱パネル１，１の上、下端面、すなわち接合面１ｕ，１ｄ間に挟まれる部分には、その中間部分２０ｎの上下厚さよりも薄い平坦部２１を有する凹部２２が一体に形成されている。この凹部２２には、下段の断熱パネル１に、上段の断熱パネルを接合するとき、上段の断熱パネルの内側面１ｉの下端に形成される突条部４が密に着座され、上下段の断熱パネル１，１の接合面１ｕ，１ｄ間の間隙ｄが狭まるようにされている。
【００２１】
また両折曲端部２０ｅ，２０ｅの基部の外周面の内側（中間部側）には、その外周面より外方に隆起する隆起部３０が一体に突出加工されている。この隆起部３０は、この実施例では、ポンチの打込みにより形成される円錐状の凹部３１の外周部分に突出加工される。
【００２２】
なお、前記隆起部３０の加工は、他の加工手段により行ってもよい。
【００２３】
断熱パネル１にアッセンブリタイ２０を連結するには、図２に示すように、断熱パネル１の上端面に予め固定されている連結バーＪの差込孔１４に、その上方からアッセンブリタイ２０の一方の折曲端部２０ｅを差し込み連結する。このとき、折曲端部２０ｅの隆起部３０は差込孔１４の縁に引っ掛かるので、アッセンブリタイ２０をその上方から押し込むか、叩くようにする。これにより、隆起部３０は差込孔１４を貫通して、該差込孔１４の縁に係合されて、アッセンブリタイ２０を差込孔１４に確りと差し込み連結することでき、打設生コンクリートの圧力で、緊結部材２０が差込孔１４から浮き上がって、抜け出ることが防止される。
【００２４】
つぎに、図６を参照して、断熱パネル１、連結バーＪおよびアッセンブリタイ２０を用いて、建築用型枠Ｍを組み付ける手順について説明する。
【００２５】
建築用型枠Ｍは、基礎上に、コンクリート打設空間Ｓを存して互いに平行に立て込まれる内、外の断熱型枠Ｍｉ，Ｍｏにより構成される。
【００２６】
なお、以下の説明において、上段の断熱パネル１に符号（Ｕ）を、下段の断熱パネル１に符号（Ｄ）を添字する。
【００２７】
下段の断熱パネル１（Ｄ）に、上段の断熱パネル１（Ｕ）を建て込み連結するに際し、予め連結バーＪを固定した、内、外の下段の断熱パネル１（Ｄ），１（Ｄ）を、鉛直状態に保持し、それら両断熱パネル１（Ｄ），１（Ｄ）の連結バーＪ，Ｊの複数の差込孔１４，１４に、前述のようにアッセンブリタイ２０の折曲端部２０ｅを差し込み連結する。これにより、内、外の下段の断熱パネル１（Ｄ），１（Ｄ）同士は、コンクリート打設空間Ｓをあけて鉛直状態に堅固に保持される。
【００２８】
つぎに、下段の断熱パネル１（Ｄ）上に上段の断熱パネル１（Ｕ）を立て込む。このとき、図３に示すように、上段の断熱パネル１（Ｕ）のスリット２は、連結バーＪの上差込部１１Ｕに差込み固定されると同時に上段の断熱パネル１（Ｕ）の凹溝３内にアッセンブリタイ２０の中間部分２０ｎの端部が受容されると共に上段の断熱パネル１（Ｕ）の突条部４が、アッセンブリタイ２０の薄肉の平坦部２１を有する凹部２２に密に着座される。これにより、下段の断熱パネル１（Ｄ）と上段の断熱パネル１（Ｕ）の接合面１ｄ，１ｕ間にアッセンブリタイ２０が挟まれていても、それらの接合面１ｄ，１ｕ間の隙間ｄ（図３，４参照）を極力縮小することができ、それらの接合面１ｄ，１ｕ間への打設コンクリートの入り込みを可及的に減少させることができる。さらに、下段の断熱パネル１（Ｄ）の接合面１ｕと上段の断熱パネル１（Ｕ）の接合面１ｄのうち、直接接触する部分ｚ（連結バーの存在しない部分、図３参照）は密接されるので、前記構成と相俟って下段の断熱パネル１（Ｕ）と上段の断熱パネル１（Ｕ）との接合面の取り合いか極めてよくなり、断熱パネル１（Ｄ）上に上段の断熱パネル１（Ｕ）を堅固に安定支持することができ、打設コンクリートからの側圧を受けても上段の断熱パネル１（Ｕ）が倒れることが抑止される。
【００２９】
さらに、生コンクリートの打設時には、内、外断熱パネル１，１を連結しているアッセンブリタイ２０には、生コンクリートの打設圧力によって、浮き上がり方向、すなわち抜き方向の力が作用するが、緊結部材２０の両折曲端部２０ｅ，２０ｅに加工した隆起部３０，３０は、連結片１３，１３の差込孔１４，１４に係合しているので、緊結部材２０が、生コンクリートの打設圧力により浮き上がることがない。
【００３０】
コンクリート躯体の成形完了後は、内、外側の断熱パネル１は、そのまま断熱建材として使用することができ、その際に、それらの平坦な外面１ｏには、モルタルなどの湿式外装材、あるいはタイルなどの乾式外装材を積層するのが容易である。また、内、外側の断熱パネル１は、コンクリート躯体から解体して通常の型枠パネルとして再利用することもできる。
【００３１】
以上、本発明の実施例について説明したが、本発明はその実施例に限定されることなく、本発明の範囲内で種々の実施例が可能である。
【図面の簡単な説明】
【００３２】
【図１】断熱パネルおよびアッセンブリタイの斜視図
【図２】図１の２−２線に沿う断面図
【図３】図２の３矢視仮想線囲い部分の拡大図図３の４矢視仮想線囲い部分の拡大図
【図４】図４は図３の４−４線に沿う断面図
【図５】図１の５矢視仮想線囲い部分の拡大図
【図６】組み立てられた建築用型枠の断面図
【符号の説明】
【００３３】
１・・・・・・・・・・断熱パネル
４・・・・・・・・・・突条部
１４・・・・・・・・・・差込孔
２０・・・・・・・・・・アッセンブリタイ
２０ｎ・・・・・・・・・中間部分
２０ｅ・・・・・・・・・折曲端部
２１・・・・・・・・・・平坦部
２２・・・・・・・・・・凹部
Ｊ・・・・・・・・・・連結バー
Ｍｉ・・・・・・・・・内断熱型枠
Ｍｏ・・・・・・・・・外断熱型枠
Ｓ・・・・・・・・・・・コンクリート打設空間
【図１】
2008150884.tif 000003
【図２】
2008150884.tif 000004
【図３】
2008150884.tif 000005
【図４】
2008150884.tif 000006
【図５】
2008150884.tif 000007
【図６】
2008150884.tif 000008